(57)【要約】【課題】隣接するスタンドパネルの前後面を同じ向きにしてパネル面同士を統一させて配置することで、レイアウトの自由度を高めることができ、使用者の使い勝手を良好なものとすることができる。【解決手段】床面Ｆ上に垂直に配置された平板状のパネル本体３と、パネル本体３の左右端部からそれぞれパネル本体３の前後方向に突出した一対のベース体２Ａ、２Ｂと、を備え、ベース体２Ａ、２Ｂは、前後方向のいずれか一方に延びる第一支持脚２１の第一基端部と、他方に延びる第二支持脚２２の第二基端部と、が上下方向に異なる位置に設けられ、一対のベース体２Ａ，２Ｂのうち第一ベース体２Ａの第一支持脚２１と、第二ベース体２Ｂの第二支持脚２２とは、前後方向で同じ側に突出して配置され、パネル本体３の裏面３ｂにはボード支持部５が設けられた構成のスタンドパネルを提供する。【選択図】図１５
2020069008.tif 000002
【特許請求の範囲】
【請求項１】
床面上に垂直に配置された平板状のパネル本体と、
該パネル本体の左右端部からそれぞれ前記パネル本体の前後方向に突出した一対の脚体と、を備え、
前記脚体は、前後方向のいずれか一方に延びる第一支持脚の第一基端部と、他方に延びる第二支持脚の第二基端部と、が上下方向に異なる位置に設けられ、
一対の前記脚体のうち一方の第一脚体の前記第一支持脚と、他方の第二脚体の前記第二支持脚とは、前後方向で同じ側に突出して配置され、
前記パネル本体の前後面のうちいずれか一方の面にはオプション部材が設けられていることを特徴とするスタンドパネル。
【請求項２】
前記オプション部材は、左右方向で一対の前記脚体の間に設けられていることを特徴とする請求項１に記載のスタンドパネル。
【請求項３】
前記オプション部材は、一対の前記脚体よりも上方に配設されていることを特徴とする請求項１又は２に記載のスタンドパネル。
【請求項４】
前記パネル本体は、筆記可能な情報掲示面を有し、
前記オプション部材は、前記情報掲示面に筆記するための筆記具が載置可能な物品載置部であることを特徴とする請求項１乃至３のいずれか１項に記載のスタンドパネル。
【請求項５】
請求項１乃至４のいずれか１項に記載のスタンドパネルを複数配置した什器システムであって、
隣接する前記スタンドパネル同士は、平面視において所定の角度をなすように傾斜して配置され、
隣接する前記スタンドパネルのうち一方の前記第一脚体と他方の前記第二脚体とが上下に交差した状態で配置されていることを特徴とする什器システム。
【発明の詳細な説明】
【技術分野】
【０００１】
本発明は、スタンドパネル、及び什器システムに関する。
【背景技術】
【０００２】
従来、オフィスや病院、公共施設、研究施設等の室内空間においては、室内空間を複数のエリアに区画するために、床面上に載置されたベース体と、ベース体から上方に向かって立設された平板状のパネル本体とを備えたスタンドパネルを使用するのが一般的となっている。このようなスタンドパネルは、室内空間を複数の用途に使用することができ、これによりパーティションや展示用等として使い勝手の良好な空間を実現している。
【０００３】
ベース体は、スタンドパネルの自立安定性を高めるため、パネル本体の左右端部近傍においてパネル本体の前後方向に向かって突出して設けられた脚体を有するものが多く採用されている（例えば、特許文献１、２参照）。ところが、複数のスタンドパネルの左右端部同士を近接させ、スタンドパネル同士が互いに所定の角度をなすように配置することによって、室内空間を複数エリアに自由なレイアウトで区画する場合がある。この場合には、脚体がパネル本体の前後方向に突出して設けられているので、隣接するスタンドパネルの脚体同士が干渉する場合があった。
【０００４】
これに対応するスタンドパネルの構造として、例えば特許文献３に示されるような、隣接するスタンドパネルの脚体、もしくはスタンドパネルの前方に突出する脚体と後方に突出する脚体とで、高さを異なるものとすることによって、互いが干渉するのを防止できる構成ものが知られている。この場合には、隣接するスタンドパネルの脚体同士の干渉を回避することができ、スタンドパネルを設置する際の自由度を高めることが可能となっている。
【先行技術文献】
【特許文献】
【０００５】
【特許文献１】特許第４２０２８９３号公報
【特許文献２】特開２０１７−６３８７８号公報
【特許文献３】特許第４０５２０５８号公報
【発明の概要】
【発明が解決しようとする課題】
【０００６】
しかしながら、上述した特許文献３に示すような従来のスタンドパネルでは、隣接するスタンドパネルの脚体の高さを異なるものとして双方の脚体同士の干渉を回避するため、隣接するスタンドパネルで前後面の向きを互い違いに配置する必要があった。このため、パネルにおける前面と後面で色、材質、模様等が異なる場合（例えば、前面のみに筆記可能面や掲示面が設けられる場合）には、隣接するパネル面同士で統一性に欠けた配置構成となり、スタンドパネルとしての使い勝手が低下するという問題があり、その点で改善の余地があった。
【０００７】
本発明は、上述する問題点に鑑みてなされたもので、隣接するスタンドパネルの前後面を同じ向きにしてパネル面同士を統一させて配置することで、レイアウトの自由度を高めることができ、使用者の使い勝手を良好なものとしたスタンドパネル、及び什器システムを提供することを目的とする。
【課題を解決するための手段】
【０００８】
上記目的を達成するため、本発明に係るスタンドパネルは、床面上に垂直に配置された平板状のパネル本体と、該パネル本体の左右端部からそれぞれ前記パネル本体の前後方向に突出した一対の脚体と、を備え、前記脚体は、前後方向のいずれか一方に延びる第一支持脚の第一基端部と、他方に延びる第二支持脚の第二基端部と、が上下方向に異なる位置に設けられ、一対の前記脚体のうち一方の第一脚体の前記第一支持脚と、他方の第二脚体の前記第二支持脚とは、前後方向で同じ側に突出して配置され、前記パネル本体の前後面のうちいずれか一方の面にはオプション部材が設けられていることを特徴としている。
【０００９】
また、本発明に係る什器システムは、上述したスタンドパネルを複数配置した什器システムであって、隣接する前記スタンドパネル同士は、平面視において所定の角度をなすように傾斜して配置され、隣接する前記スタンドパネルのうち一方の前記第一脚体と他方の前記第二脚体とが上下に交差した状態で配置されていることを特徴としている。
【００１０】
本発明では、隣接する一方のパネル本体の第一脚体と他方のパネル本体の第二脚体とが上下方向に異なる位置に設けられているので、これら脚体同士を互いに干渉することなく上下方向に交差させて配置することができる。また、パネル本体の一方の面にオプション部材が配置されているので、隣接するスタンドパネルを他方の面側に角度をつけて配置する場合にはオプション部材同士が干渉することを回避することができる。これにより隣接するスタンドパネル同士が隙間なく、パネル本体の他方の面側に所定の角度で傾斜させた配置を実現することができる。
【００１１】
そのため、隣接するパネル本体の前後面を同じ側にして同じ面を並べて配置することができる。すなわち、隣接して配置されたスタンドパネルの前後面を統一して配置することが可能となるので、レイアウト時の自由度を高めることができ、スタンドパネルとしての使い勝手を良好なものとすることができる。
また、この場合には、左右一対の第一脚体と第二脚体の構造を共通化することができるため、製造工数および製造コストの低減を図ることができる。
【００１２】
また、本発明に係るスタンドパネルは、前記オプション部材は、左右方向で一対の前記脚体の間に設けられていることが好ましい。
【００１３】
この場合には、隣接するパネル本体同士を一方の面側に傾斜させてもオプション部材同士が干渉することがなく、レイアウト時の自由度を高めることができ、スタンドパネルとしての使い勝手を良好なものとすることができる。
【００１４】
また、本発明に係るスタンドパネルは、前記オプション部材は、一対の前記脚体よりも上方に配設されていることを特徴としてもよい。
【００１５】
この場合には、オプション部材が第一脚体と第二脚体とは上下方向に異なる位置に配置されているので、互いに干渉することがなく、スタンドパネルをレイアウトする際の自由度をより高めることができる。
【００１６】
また、本発明に係るスタンドパネルは、前記パネル本体は、筆記可能な情報掲示面を有し、前記オプション部材は、前記情報掲示面に筆記するための筆記具が載置可能な物品載置部であることを特徴としてもよい。
【００１７】
この場合には、オプション部材がペン等を載置可能な物品載置部であるので、スタンドパネルとしての機能性を向上させることができ、使い勝手をより良好なものとすることができる。
【発明の効果】
【００１８】
本発明のスタンドパネル、及び什器システムによれば、隣接するスタンドパネルのパネル面同士を統一させて配置することでレイアウトの自由度を高めることができ、使用者の使い勝手を良好なものとすることができる。
【図面の簡単な説明】
【００１９】
【図１】本発明の実施形態によるスタンドパネルを斜め前方から見た斜視図である。
【図２】実施形態によるスタンドパネルを斜め後方から見た斜視図である。
【図３】実施形態によるスタンドパネルを後方から見た正面図である。
【図４】図３に示すＡ−Ａ線矢視図であって、スタンドパネルの側面図である。
【図５】実施形態によるスタンドパネルを上方から見た平面図である。
【図６】パネル本体に取り付けられるベース体の取付け構造を示す側面図である。
【図７】ベース体の斜視図である。
【図８】図７に示すベース体の側面図である。
【図９】図７に示すベース体を上方から見た平面図である。
【図１０】上辺フレームに係止フックを係止させた構成を示す要部拡大図であって、左右方向から見た側面図である。
【図１１】図１０に示す係止フックの斜視図である。
【図１２】スタンドパネルの下部を斜め後方から見た斜視図であって、ボード収容部の構成を示す図である。
【図１３】図１２においてボード収容部をパネル本体から取り外した状態を示す分解斜視図である。
【図１４】隣接するスタンドパネルを９０度の角度で配置した什器システムを示す平面図である。
【図１５】隣接するスタンドパネルを１４０度の開き角度で配置した他の什器システムを示す平面図である。
【発明を実施するための形態】
【００２０】
以下、本発明の実施形態によるスタンドパネル、及び什器システムについて、図面に基づいて説明する。
【００２１】
図１〜図５に示す本実施形態によるスタンドパネル１は、学校の教室、執務室等の室内空間において、間仕切り用のパーティションパネルや展示パネル等として使用されるものである。
【００２２】
スタンドパネル１は、床面Ｆ上に載置されたベース体２（２Ａ、２Ｂ）と、ベース体２から上方に向かって立設された平板状のパネル本体３と、ボード体４の情報掲示面Ｐがパネル本体３の表裏面３ａ、３ｂのうち少なくとも一方のパネル表面３ａ、３ｂと平行になるように、ボード体４をパネル本体３に対して着脱可能に支持するボード支持部（後述する係止フック６、及びボード体４の被係止穴４３）と、パネル本体３の裏面３ｂ側に設けられ、ボード体４を収容可能なボード収容部５（オプション部材）と、を備えている。
【００２３】
ここで、本実施形態では、スタンドパネル１の上下方向を符号Ｄｖとし、パネル本体３の表裏面３ａ、３ｂに向かった状態での左右方向を符号Ｄｈとし、上方から見た平面視で左右方向Ｄｈに直交する方向（パネル本体３の表裏面３ａ、３ｂに直交する方向）を前後方向Ｄｆという。また、スタンドパネル１の前後方向Ｄｆにおいて、ボード収容部５が設けられる面を裏面３ｂとして裏面３ｂ側を後方、後側といい、その反対側の面を表面３ａとして表面３ａ側を前方、前側という。
【００２４】
パネル本体３の左右端部寄りに一対で設けられるベース体２（２Ａ、２Ｂ）は、それぞれパネル本体３の前後方向Ｄｆに突出した支持脚２１、２２を有している。
ベース体２Ａ、２Ｂは、パネル本体３の下端から下方に延びる脚柱２０と、脚柱２０から前後方向Ｄｆの一方に延びる第一支持脚２１（第一脚体）と、脚柱２０から前後方向Ｄｆの他方に延びる第二支持脚２２（第二脚体）と、を有している。第一支持脚２１と第二支持脚２２とは、互いに上下方向Ｄｖに異なる位置から前後方向Ｄｆに向かって突出して設けられている。
【００２５】
本実施形態では、第二支持脚２２の第二基端部２２ａが第一支持脚２１の第一基端部２１ａよりも高い位置に設けられている。具体的に第一支持脚２１は、第一基端部２１ａの第一高さ位置から前後方向Ｄｆの一方に向けて突出し、第二支持脚２２は、第一基端部２１ａの第一高さ位置よりも高い第二基端部２２ａの第二高さ位置から前後方向Ｄｆの他方に向けて突出している。
【００２６】
脚柱２０は、図６に示すように、後述するパネル本体３の下辺フレーム３２Ｂの下面３２ｂに固定ねじ２０４を締め付けることにより固定されている。脚柱２０は、図６〜図９に示すように、上下方向Ｄｖに延びる柱部２０１と、柱部２０１の上端から左右方向Ｄｈの内側に向けて延びる固定片２０２と、を有し、略Ｌ字形に形成されている。柱部２０１の所定の高さ位置には、第一支持脚２１と第二支持脚２２の各基端部２１ａ、２２ａが接続されている。固定片２０２は、厚さ方向に貫通する挿通孔２０３が形成されている。固定片２０２は、上面を下辺フレーム３２Ｂの下面３２ｂに当接させた状態で、挿通孔２０３に下方から固定ねじ２０４（図６参照）を貫通させて下辺フレーム３２Ｂの下面３２ｂに形成されている雌ねじ（図示省略）に螺合させることで固定されている。
【００２７】
第一支持脚２１は、図７〜図９に示すように、脚柱２０に接続される第一基端部２１ａから前後方向Ｄｆの一方に向けて延びる水平部２１１と、水平部２１１の突出端から下方に向けて延びる垂直部２１２と、垂直部２１２の下端に支持されたキャスタ２１３と、を有している。第二支持脚２２は、脚柱２０に接続される第二基端部２２ａから前後方向Ｄｆの一方に向けて延びる水平部２２１と、水平部２２１の突出端から下方に向けて延びる垂直部２２２と、垂直部２２２の下端に取り付けられたキャスタ２２３と、を有している。第一支持脚２１の水平部２１１と第二支持脚２２の水平部２２１は、それぞれ前後方向Ｄｆに同じ長さで突出している。
なお、各支持脚２１、２２は、キャスタ２１３、２２３に代えてアジャスタであってもかまわない。
【００２８】
第一支持脚２１の水平部２１１の上面２１１ａは、第二支持脚２２の水平部２２１の下面２２１ｂより下方に位置している。つまり、一方の第一支持脚２１の水平部２１１は、別の第二支持脚２２の水平部２２１の下方に交差させた状態で配置させることが可能である。
なお、各支持脚２１、２２の水平部２１１、２２１同士の高さは、第一支持脚２１の水平部２１１が第二支持脚２２の水平部２２１より下方であればとくに限定されることはなく、所定の高さに設定できる。
【００２９】
このような形状にベース体２を形成することにより、一方のスタンドパネル１と他方のスタンドパネル１を、それぞれベース体２、２同士を左右方向Ｄｈにずらした位置に配置することで、スタンドパネル１、１同士をそれらの表裏で密着させて直列的にネスティングできる。また、隣り合うスタンドパネル１、１同士に角度をつけて配置する場合であっても、第一支持脚２１と第二支持脚２２とが干渉することないので、スタンドパネル１、１同士の間に隙間が形成されることなく、互いに近接した状態で配置することができる。
【００３０】
パネル本体３は、図１〜図３に示すように、表面３ａ及び裏面３ｂに掲示面を表示可能な正面視で略矩板状のパネル板３１と、パネル板３１の上下左右の四辺に設けられる枠フレーム３２（３２Ａ、３２Ｂ、３２Ｃ、３２Ｄ）と、パネル板３１の四隅のそれぞれに設けられ、枠フレーム３２の接続部同士を接続するコーナー部３３と、を備えている。
【００３１】
パネル板３１は、上下方向Ｄｖに長い略長方形状をなし、表裏面３ａ、３ｂが例えば筆記可能なホワイトボードを採用できる。パネル板３１は、外周縁を枠フレーム３２のパネル板３１側に形成される溝部３２１（図１０参照）に挿入した状態で枠フレーム３２に保持されている。
【００３２】
なお、パネル本体３の材質，構造，外形等は、図示のものに限られず任意に設定できる。例えば、パネル板３１は、マグネットの磁力で着脱自在に保持可能な薄板状の金属性の部材を採用することも可能である。
【００３３】
枠フレーム３２は、上辺フレーム３２Ａ、下辺フレーム３２Ｂ、及び左右両側に設けられ側辺フレーム３２Ｃ、３２Ｄを有している。
各辺のフレーム３２Ａ、３２Ｂ、３２Ｃ、３２Ｄは、パネル板３１側を向く内向面に各辺フレーム３２Ａ、３２Ｂ、３２Ｃ、３２Ｄの長手方向に沿う溝部３２１と、長手方向の両端面３２ｃに形成された雌ねじ孔３２２（図６参照）と、を有している。また、上辺フレーム３２Ａ及び下辺フレーム３２Ｂには、外向面におけるパネル板３１の厚み方向の両端から突出する前後一対の起立壁３２３が形成されている。側辺フレーム３２Ｃ、３２Ｄには、前述の起立壁３２３が形成されていない。
【００３４】
溝部３２１には、パネル板３１の外周縁３１ａが嵌合される。つまり、パネル板３１の外周縁３１ａは、この外周縁３１ａの各辺に対応する枠フレーム３２の溝部３２１によって全周にわたって保持された状態となる。
上辺フレーム３２Ａの一対の起立壁３２３には、それぞれ長手方向の任意の位置に係止フック６が着脱可能となっている。
【００３５】
また、下辺フレーム３２Ｂにおいて下向きに突出する一対の起立壁３２３は、図６に示すように、一対の起立壁３２３同士の間に形成される下向きに開口する凹状部において固定されるベース体２Ａ、２Ｂの脚柱２０の固定片２０２を前後方向Ｄｆから覆うように配置された化粧板の機能を有している。これにより固定片２０２の固定状態が外方から隠れて見えにくい状態となり、意匠性を良好にできる。
【００３６】
図６に示すように、溝部３２１をパネル板３１に嵌合させた姿勢の隣接するフレーム３２、３２同士には、それぞれのフレーム３２、３２の両端面３２ｃに形成された雌ねじ孔３２２に固定ねじ３４を螺合することによってコーナー部３３が固定されている。
【００３７】
コーナー部３３は、図６に示すように、パネル板３１の角部で互いに直交して接合される枠フレーム３２、３２同士の端面３２ｃ、３２ｃのそれぞれに当接する一対の接合端面３３ａ、３３ａを有している。コーナー部３３の頂部側には、一対の接合端面３３ａ、３３ａの裏側に達する凹部３３ｂが形成されている。
接合端面３３ａには、枠フレーム３２に固定される固定ねじ３４が挿通される貫通孔３３ｃが形成されている。コーナー部３３は、凹部３３ｂから固定ねじ３４を貫通孔３３ｃに挿通されるとともに、枠フレーム３２の端面３２ｃに形成されている雌ねじ孔３２２に螺合される。そして、パネル板３１の四隅にコーナー部３３が固定されることにより枠フレーム３２及びパネル板３１と一体的に固定される。
【００３８】
パネル本体３の上部には、図１０及び図１１に示すように、ボード体４を係止するための係止フック６（係止部）が着脱可能に設けられている。
係止フック６は、基板６１と、基板６１の裏面６１ｂの下部に設けられ、上辺フレーム３２Ａの起立壁３２３に上方から差し込むことで係合する差込片６２と、基板６１の表面６１ａから突出した突起部６３と、を有している。差込片６２は、基板６１に起立壁３２３の厚みと同等の間隔をあけて配置される押さえ板６２１と、押さえ板６２１の上端と基板６１の裏面６１ｂとを連結する連結片６２２と、からなる。突起部６３には、突出端に突出方向に対して交差する方向に突出する落下防止部６３ａが形成されている。
突起部６３に落下防止部６３ａを形成することにより、ボード体４の被係止穴４３（後述する）を挿通させることで取り付けられるが、突起部６３からボード体４がすべり落ちることが防止される。
【００３９】
基板６１と押さえ板６２１との間に起立壁３２３を差し込み、連結片６２２を起立壁３２３の上端３２３ａに当接させた状態で係止フック６が上辺フレーム３２Ａの所定位置に係止される。なお、係止フック６は、上辺フレーム３２Ａの長手方向（左右方向Ｄｈ）の任意の位置に配置できるので、ボード体４の被係止穴４３（後述する）の位置に合わせて位置調整することが可能である。
【００４０】
パネル板３１の表面３ａには、図１に示すように、例えば磁石等によって装着可能でボード収容部５のオプション部材とは別のオプション部材７（７１、７２）が設けられている。このオプション部材７は、パネル板３１の表面３ａの下部に配置される粉受け７１と、筆記具が載置可能な筆記置き７２（物品載置部）と、を有している。
オプション部材７は、左右に位置する支持脚２Ａ、２Ｂ同士の間に設けられるとともに、一対の支持脚２Ａ、２Ｂの基端部２１ａ、２２ａ（水平部２１１、２２１）よりも上方に配設されている。
【００４１】
ボード体４は、図１及び図２に示すように、パネル本体３の表裏面側のパネル表面３ａ、３ｂに着脱可能に支持されている。
ボード体４は、平面視で略長方形状のボード本体４１と、ボード本体４１の四辺に設けられるボード枠部４２と、を備えている。ボード体４は、長辺方向の寸法がパネル本体３の左右方向Ｄｈの長さ寸法と同等、或いは僅かに小さい寸法に設定されている。
【００４２】
ボード本体４１の各角部には、厚さ方向に貫通し係止フック６に係止される被係止穴４３（被係止部）が設けられている。ボード体４を長手方向を横向き姿勢にした状態で、上側に位置する被係止穴４３をパネル本体３の上部に設けられた係止フック６の突起部６４に係止させることで、ボード体４をパネル本体３に支持される。
【００４３】
ボード収容部５は、図１２及び図１３に示すように、パネル本体３の下部に固定されている。ボード収容部５は、パネル本体３の下部に固定されるベースプレート５１と、ベースプレート５１の後端部５１ｂから立設された保持枠５２と、を備えている。ボード収容部５は、ベース体２の延在方向（前後方向Ｄｆ）でベース体２よりも前後方向Ｄｆで外側に突出しない寸法に設定されている。
【００４４】
ベースプレート５１は、左右方向Ｄｈに延在し、前端部５１ａが下方フレーム３２Ｂの下面３２ｅに固定ねじ５３によって締結されている。ベースプレート５１には、後端部５１ｂ、及び左右方向Ｄｈの両側端部５１ｃ、５１ｃから立設された側板５４が設けられている。底板５１には、一対のベース体２Ａ、２Ｂの位置に前方に開口する切欠部５１ｄが形成されている。切欠部５１ｄには、ベース体２Ａ、２Ｂがそれぞれ配置される。
【００４５】
保持枠５２は、線状部材からなり、略コ字形状に形成された開口側の両端が底板５１の後端部５１ｂに接続されている。
底板５１上には、図１〜図４に示すように、パネル本体３の裏面３ｂと保持枠５２との間において、長手方向を横向きにした姿勢の複数枚のボード体４、４、…（図では３枚）を立てかけるように配列させてストック可能に設けられている。
【００４６】
次に、上述したスタンドパネル１（１Ａ、１Ｂ）を複数（ここでは２台）、左右方向Ｄｈの端部同士に所定角度をもって突き合わせて配置した什器システムについて、図面に基づいて説明する。
図１４及び図１５は、２台のスタンドパネル１Ａ、１Ｂを使用したパネル配置の概略平面図である。
図１４は、一対のスタンドパネル１Ａ、１Ｂの一方の側端部１ａ、１ａ同士を突き合わせ、その突き合せたときの配置角度θを９０度とした配置例（第一配置Ｔ１）を示している。つまり、一対のスタンドパネル１Ａ、１Ｂは、上面視でＬ字状に直交（９０度）した状態で配置されている。
図１５は、一対のスタンドパネル１Ａ、１Ｂ一方の側端部１ａ、１ａ同士を突き合わせて、配置角度θを略１４０度で開いた傾斜角度とした配置例（第二配置Ｔ２）を示している。
【００４７】
第一配置Ｔ１及び第二配置Ｔ２の場合のいずれも、隣接するスタンドパネル１Ａ、１Ｂのうち一方（ここでは符号１Ａのスタンドパネル）の隣接側の第一ベース体２Ａ（第一脚体）の第二水平部２２１と、他方（ここでは符号１Ｂのスタンドパネル）の第二ベース体２Ｂ（第二脚体）の第一水平部２１１とが上下に交差した状態で配置されている。つまり、スタンドパネル１Ａの第二水平部２２１の下方空間に、スタンドパネル１Ｂの第一水平部２１１が潜り込んだ状態で配置されるので、それぞれの支持脚２１、２２同士が干渉しない状態で配置できる。
【００４８】
次に、上述したスタンドパネル１、及び什器システムの作用について、図面に基づいて詳細に説明する。
本実施形態によるスタンドパネル１では、図１４及び図１５に示すように、隣接する一方のパネル本体３の第一ベース体２Ａと他方のパネル本体３の第二ベース体２Ｂとが上下方向Ｄｖに異なる位置に設けられているので、これら脚ベース体２Ａ、２Ｂ同士を互いに干渉することなく上下方向Ｄｖに交差させて配置することができる。
【００４９】
また、パネル本体３の一方の面（ここでは裏面３ｂ）にオプション部材であるボード支持部５が配置されているので、隣接するスタンドパネル１を他方の面（表面３ａ）側に角度をつけて配置する場合にはボード支持部５、５同士が干渉することを回避することができる。これにより隣接するスタンドパネル１Ａ、１Ｂ同士が隙間なく、パネル本体３の表面３ａ側に所定の角度で傾斜させた配置を実現することができる。
【００５０】
そのため、隣接するパネル本体３の前後面（表面３ａ及び裏面３ｂ）を同じ側にして同じ面を並べて配置することができる。すなわち、隣接して配置されたスタンドパネル１の前後面を統一して配置することが可能となるので、レイアウト時の自由度を高めることができ、スタンドパネル１としての使い勝手を良好なものとすることができる。
【００５１】
また、本実施形態では、図７及び図８に示すように、ベース体２Ａ、２Ｂは、前後方向Ｄｆのいずれか一方に延びる第一支持脚２１の第一基端部２１ａと、他方に延びる第二支持脚２２の第二基端部２２ａと、が上下方向Ｄｖに異なる位置に設けられているので、左右一対の第一ベース体２Ａと第二ベース体２Ｂの構造を共通化することができるため、製造工数および製造コストの低減を図ることができる。
【００５２】
さらに、本実施形態では、ボード支持部５は、第一ベース体２Ａ及び第二ベース体２Ｂよりも上方に配設され、すなわち第一ベース体２Ａ及び第二ベース体２Ｂに対して上下方向Ｄｖに異なる位置に配置されているので、互いに干渉することがなく、スタンドパネル１をレイアウトする際の自由度をより高めることができる。
【００５３】
また、本実施形態では、オプション部材７としてペン等を載置可能な筆記置き７２を設けているので、スタンドパネル１としての機能性を向上させることができ、使い勝手をより良好なものとすることができる。
【００５４】
上述のように本実施形態によるスタンドパネル１、及び什器システムでは、隣接するスタンドパネル１のパネル面同士を統一させて配置することでレイアウトの自由度を高めることができ、使用者の使い勝手を良好なものとすることができる。
【００５５】
以上、本発明によるスタンドパネル、及び什器システムの実施形態について説明したが、本発明は上記の実施形態に限定されるものではなく、その趣旨を逸脱しない範囲で適宜変更可能である。
【００５６】
例えば、上記実施形態では、パネル本体３のパネル板３１としてホワイトボードを採用しているが、これに限定されることはなく、例えば黒板、ポリカーボネート複層シート、木製板等の部材を採用することができる。
【００５７】
什器システムとして、本実施形態では２つのスタンドパネル１Ａ、１Ｂを配置した形態を示しているが、３つ以上のスタンドパネル１を配置する形態であっても勿論かまわない。
また、本実施形態では、什器システムの一例として図１４に示す第一配置Ｔ１と図１５に示す第二配置Ｔ２を例示しているが、これらのような配置角度θを９０度や１４０度とすることに限定されることはなく、任意の配置角度θに設定することができる。
【００５８】
その他、本発明の趣旨を逸脱しない範囲で、上記した実施形態における構成要素を周知の構成要素に置き換えることは適宜可能である。
【符号の説明】
【００５９】
１  スタンドパネル
２、２Ａ、２Ｂ  ベース体（脚体）
３  パネル本体
３ａ  表面
３ｂ  裏面
４  ボード体
５  ボード収容部（オプション部材）
６  係止フック（係止部）
７  オプション部材
２０  脚注
２１  第一支持脚
２１ａ  第一基端部
２２  第二支持脚
２２ａ  第二基端部
３１  パネル板
３２  枠フレーム
３２Ａ  上辺フレーム
３２Ｂ  下辺フレーム
３３  コーナー部
４３  被係止穴（被係止部）
５２  保持枠
７２  筆記置き（物品載置部、オプション部材）
Ｄｈ  左右方向
Ｄｆ  前後方向
Ｄｖ  上下方向
Ｆ  床面
Ｐ  情報掲示面
Ｔ１  第一配置
Ｔ２  第二配置
【図１】
2020069008.tif 000003
【図２】
2020069008.tif 000004
【図３】
2020069008.tif 000005
【図４】
2020069008.tif 000006
【図５】
2020069008.tif 000007
【図６】
2020069008.tif 000008
【図７】
2020069008.tif 000009
【図８】
2020069008.tif 000010
【図９】
2020069008.tif 000011
【図１０】
2020069008.tif 000012
【図１１】
2020069008.tif 000013
【図１２】
2020069008.tif 000014
【図１３】
2020069008.tif 000015
【図１４】
2020069008.tif 000016
【図１５】
2020069008.tif 000017